(57)【要約】      （修正有）【課題】ディスプレイパネル表面の清掃において、微粉除去効果と線状痕防止効果に優れたディスプレイパネル清掃用回転ロールブラシを提供する。【解決手段】ナイロン製モノフィラメント２の集合から成るブラシ材の基部をＵ形チャンネルで挟着保持してチャンネル形ブラシを形成し、該チャンネル形ブラシをロールに螺旋巻きして回転ロールブラシを形成し、ディスプレイパネルの表面に洗浄液をかけながら該回転ロールブラシのブラシ材毛先でディスプレイパネルの表面を摺擦し清掃を行うディスプレイパネル清掃用回転ロールブラシにおいて、上記ブラシ材を構成するナイロン製モノフィラメント２は０．０５〜０．１ｍｍφの太さを有し、且つ全長に亘り波形に付形した波形ナイロン製モノフィラメント２であり、該モノフィラメントの波形の波長Ｓ′が２〜５ｍｍ、同波高Ｈが０．１〜０．３ｍｍとする。【選択図】図３
2007283241.tif 000002
【特許請求の範囲】
【請求項１】
ナイロン製モノフィラメントの集合から成るブラシ材の基部をＵ形チャンネルで挟着保持してチャンネル形ブラシを形成し、該チャンネル形ブラシをロールに螺旋巻きして回転ロールブラシを形成し、ディスプレイパネルの表面に洗浄液をかけながら該回転ロールブラシのブラシ材毛先でディスプレイパネルの表面を摺擦し清掃を行うディスプレイパネル清掃用回転ロールブラシにおいて、上記ブラシ材を構成するナイロン製モノフィラメントは０．０５〜０．１ｍｍφの太さを有し、且つ全長に亘り波形に付形した波形ナイロン製モノフィラメントであり、該波形ナイロン製モノフィラメントの波形の波長が２〜５ｍｍ、同波高が０．１〜０．３ｍｍであることを特徴とするディスプレイパネル清掃用回転ロールブラシ。
【発明の詳細な説明】
【技術分野】
【０００１】
本発明は液晶ディスプレイパネル、プラズマディスプレイパネル、有機ＥＬディスプレイパネル等のディスプレイパネルの表面を清掃する目的で使用されるディスプレイパネル清掃用回転ロールブラシに関する。
【背景技術】
【０００２】
従来液晶ディスプレイパネル、プラズマディスプレイパネル、有機ＥＬディスプレイパネル等のディスプレイパネルの清掃には、ナイロン製モノフィラメントの集合から成るブラシ材の基部をＵ形チャンネルで挟着保持してチャンネル形ブラシをロールに螺旋巻きした回転ロールブラシが多く用いられており、ディスプレイパネルの表面に純水やアルカリ液等の洗浄液をかけながら、該回転ロールブラシのブラシ材毛先でディスプレイパネルの表面を摺擦し清掃を行う方法が採られている。
【０００３】
上記ディスプレイパネルはガラス製であり、静電気による微粉が付着し易く、ブラシ材の摺擦によって微細な線状痕を生じ易い。
【０００４】
従って上記回転ロールブラシのブラシ材としては上記微粉除去効果に優れ、且つディスプレイパネルの表面にブラシ材自身の摺擦による、或いは微粉の介在に起因する線状痕防止効果に優れたものであることが要求される。
【０００５】
従来は上記課題に応えるにはできるだけ極細のモノフィラメントを用いることが有効であるとの発想から、上記ブラシ材として既存の０．０２〜０．１ｍｍφの範囲の極細で且つ直線の合成樹脂製モノフィラメントが選択的に使用されている。
【発明の開示】
【発明が解決しようとする課題】
【０００６】
然しながら、上記０．０２〜０．１ｍｍφの極細で直線のモノフィラメントはディスプレイパネル表面に対する摺擦時の線状痕の発生を有効に防止できる反面、腰が弱く微粉除去効果に劣る問題を有している。
【０００７】
殊にディスプレイパネルの表面清掃に当たっては洗浄液を併用するものであるが、上記０．０２〜０．１ｍｍφの極細で直線のモノフィラメントは回転ロールブラシによる摺擦時に洗浄液を媒体として相互に密着する現象を禁じ得ない。
【０００８】
上記現象は回転ロールブラシの回転に伴って多くの箇所にモノフィラメントの水密着ブラシ塊を生成し、同ロールブラシの表面に多くの巣を生成することを意味する。該水密着ブラシ塊と巣の生成が上記微粉除去効果を大幅に損なう結果を招来する。この水密着ブラシ塊を生成する現象は０．０２〜０．０５ｍｍφの極細で直線のモノフィラメントにおいて顕著である。
【０００９】
又上記悪現象を防止するためにモノフィラメントの腰の強さを確保できる１〜２ｍｍの太さにすると、上記線状痕の発生を禁じ得ず、加えて微粉除去効果にも劣り、その解決が課題となっている。
【課題を解決するための手段】
【００１０】
本発明は上記微粉除去効果と上記洗浄痕防止効果の相対する命題に有効に応えるディスプレイパネル清掃用回転ロールブラシを提供するものである。
【００１１】
本発明の清掃対象は液晶ディスプレイパネル、プラズマディスプレイパネル、有機ＥＬディスプレイパネル等のディスプレイパネルであり、その本体パネルはガラス製である。
【００１２】
本発明は上記ディスプレイパネルの清掃手段として、ナイロン製モノフィラメントの集合から成るブラシ材の基部をＵ形チャンネルで挟着保持してチャンネル形ブラシを形成し、該チャンネル形ブラシをロールに螺旋巻きして形成した回転ロールブラシを適用し、該回転ロールブラシのブラシ材の毛先でディスプレイパネルの表面を摺擦しながら洗浄液をかけ、清掃を行うディスプレイパネル清掃用回転ロールブラシである。
【００１３】
本発明は上記ディスプレイパネル清掃用回転ロールブラシのブラシ材として、０．０５〜０．１ｍｍφの太さのナイロン製モノフィラメントを用い、該ナイロン製モノフィラメントに２〜５ｍｍの波長を有し、且つ０．１〜０．３ｍｍの波高を有する微小な波形成形を施した波形ナイロン製モノフィラメントを適用する。
【発明の効果】
【００１４】
本発明によれば、上記極細のナイロン製モノフィラメントの線状痕を発生し難い効果を享受しながら、その腰の弱さを補完し、ディスプレイパネル清掃用回転ロールブラシの本来の目的である微粉除去効果を有効に達成しながら、上記洗浄液併用に起因する水密着ブラシ塊の生成と巣の生成を有効に解消し、上記微粉除去効果を遺憾なく発揮せしめることができる。
【発明を実施するための最良の形態】
【００１５】
以下本発明に係るディスプレイパネル清掃用回転ロールブラシの最良の形態を図１乃至図４に基づき説明する。
【００１６】
上記回転ロールブラシ１の清掃対象は液晶ディスプレイパネル、プラズマディスプレイパネル、有機ＥＬディスプレイパネル等のディスプレイパネルであり、その本体パネルはガラス製であり、ブラシ材として適性であるとして多用されているナイロン製モノフィラメント２を用いる。該ナイロン製モノフィラメント２としてはナイロン６１０（ヘキサメチレンジアミン（炭素数６）＋ セバシン酸（炭素数１０）が最適材である。 
【００１７】
図１に示すように、上記ナイロン製モノフィラメント２の集合から成るブラシ材３の基部を金属製又は合成樹脂製のＵ形チャンネル４で挟着保持してチャンネル形ブラシ５を形成し、該チャンネル形ブラシ５をロール６に螺旋巻きして回転ロールブラシ１を形成する。
【００１８】
図２に示すように、上記チャンネル形ブラシ５は各巻きのチャンネル４側面が密接するようにロール６外周面に螺旋巻きする。この螺旋巻きの方法として長尺のチャンネル形ブラシ５をロール６の一端から他端に亘って巻き付けロールブラシ１を形成する方法、又はコイル状に螺旋巻きしたコイル形チャンネルブラシを事前に形成し、該コイル形チャンネルブラシの一本又は二本以上をロール６の一端から挿入し、ロールブラシ１を構成する方法を採る。
【００１９】
上記回転ロールブラシ１はブラシ材３の毛先でディスプレイパネルの表面を摺擦しながら純水、アルカリ液に代表される洗浄液をかけ、清掃を行うディスプレイパネル清掃用回転ロールブラシであり、該ディスプレイパネル清掃用回転ロールブラシのブラシ材３として、図４に示すように、０．０５〜０．１ｍｍφの太さ（直径Ｒ）のナイロン製モノフィラメント２を用いる。
【００２０】
前記のように、ディスプレイパネル清掃用回転ロールブラシとしては、従来０．０２〜０．１ｍｍφの極細で直線のナイロン製モノフィラメントが用いられていた。
【００２１】
本発明においては、過度に腰の弱い０．０２〜０．０４ｍｍφのモノフィラメントを排除し、０．０５〜０．１ｍｍφの範囲の極細のナイロン製モノフィラメント２を適材として選択したものである。
【００２２】
ブラシ材３として用いられるモノフィラメント２の腰の強弱は太さと密接に関連し、上記微粉除去効果と線状痕防止効果に影響を与え、更には水密着ブラシ塊の生成に大きな影響を与える。この観点から０．０６〜０．０８ｍｍφのモノフィラメント２の使用が好ましい。
【００２３】
図３の拡大図（倍率２５）に示すように、上記ナイロン製モノフィラメント２に、２〜５ｍｍの波長Ｓ′（隣接する単位波形７の軸線Ｘと平行な頂点間の長さ）を有し、且つ０．１〜０．３ｍｍの波高Ｈ（隣接する単位波形７の軸線Ｘと直交する頂点間の高さ）を有する微小な波形成形を施し、波形ナイロン製モノフィラメント２を形成する。
【００２４】
７は該波形ナイロン製モノフィラメント２の単位波形を示し、各単位波形７は同モノフィラメント２の全長において同一波高Ｈと同一波長Ｓ′を有する。
【００２５】
上記波形ナイロン製モノフィラメント２のチャンネル４口縁部からの毛丈Ｓは１１〜４４ｍｍとし、該モノフィラメント２の毛先、即ちブラシ材３の毛先をディスプレイパネルの表面に対し殆ど無加圧で接触させつつ回転して清掃を行う。
【００２６】
上記波形ナイロン製モノフィラメント２はその集合材（ブラシ材３）を二つ折りしつつ、該二つ折り基部をＵ形チャンネル４で挟着保持してチャンネル形ブラシ５を形成し、該チャンネル形ブラシ５をロール６に螺旋巻きして回転ロールブラシ１を形成するものである。
【００２７】
上記回転ロールブラシ１はディスプレイパネルの表面に洗浄液をかけながらブラシ材３毛先でディスプレイパネルの表面を摺擦し清掃を行うディスプレイパネル清掃用回転ロールブラシであり、該回転ロールブラシ１のブラシ材３として０．０２〜０．１ｍｍφの極細のモノフィラメント２が適性材であることは既に検証されている。
【００２８】
本発明は上記ブラシ材３の適材として０．０５〜０．１ｍｍφの直径Ｒを有する極細のナイロン製モノフィラメント２を適用しつつ、該ナイロン製モノフィラメント２の全長に亘り２〜５ｍｍの波長Ｓ′を有し、且つ０．１〜０．３ｍｍの波高Ｈを有する微小な波形成形を施した波形ナイロン製モノフィラメント２を適用する。
【００２９】
上記波形ナイロン製モノフィラメント２に付与した０．１〜０．３ｍｍの波高Ｈの微小波形は、既知の鋼板洗浄用の極太のブラシ材（モノフィラメント）に付与した水密着ブラシ塊が生じない波高１〜３ｍｍ程度の波形とは技術的意味が全く異なる。
【００３０】
本発明はナイロン製モノフィラメント２相互が洗浄液を媒体として水密着ブラシ塊を生成し、清掃効果を著しく損なう問題を有効に解消する目的で、０．０５〜０．１ｍｍφのナイロン製モノフィラメント２に上記２〜５ｍｍの波長Ｓ′を有し、且つ０．１〜０．３ｍｍの波高Ｈを有する波形ナイロン製モノフィラメント２を適用したものである。
【００３１】
試用の結果、上記波形ナイロン製モノフィラメント２は水密着ブラシ塊の生成を有効に防止し、上記微粉除去効果と上記洗浄痕防止効果の相対する命題に有効に応えることができる結果が認められた。
【００３２】
又上記微小な波高Ｈを有する波形ナイロン製モノフィラメント２は回転時における水切れが良好であり、上記水密着ブラシ塊の生成を防止する効果を向上する。
【００３３】
特に直径Ｒが０．０６〜０．０８ｍｍφのナイロン製モノフィラメント２を用い、波長Ｓ′が３〜４ｍｍで、波高Ｈが０．２〜０．３ｍｍである時に、優れた清掃効果が認められた。
【図面の簡単な説明】
【００３４】
【図１】チャンネル形ブラシの斜視図。
【図２】上記チャンネル形ブラシを螺旋巻きしたディスプレイパネル清掃用回転ロールブラシの断面図。
【図３】上記ディスプレイパネル清掃用回転ロールブラシのブラシ材を形成する波形ナイロン製モノフィラメントの拡大側面図。
【図４】上記波形ナイロン製モノフィラメントの断面図。
【符号の説明】
【００３５】
１…回転ロールブラシ、２…波形ナイロン製モノフィラメント、３…ブラシ材、４…Ｕ形チャンネル、５…チャンネル形ブラシ、６…ロール、７…単位波形、Ｒ…波形ナイロン製モノフィラメントの直径、Ｓ…同毛丈、Ｓ′…同波長、Ｈ…同波高、Ｘ…軸線。
【図１】
2007283241.tif 000003
【図２】
2007283241.tif 000004
【図３】
2007283241.tif 000005
【図４】
2007283241.tif 000006